(57)【要約】【課題】接続対象物がコネクタ本体に完全に挿入されていないときに、押圧部材がコネクタ本体に挿入されることを防止するコネクタを提供する。【解決手段】各係止部１５を非弾性部材によって形成するとともに、押圧部材３０の押圧片３２の厚さ寸法を、各係止部１５と固定片部２１との間隔を最大として、先端側に向かって徐々に小さくなるように形成したので、フレキシブルケーブルＡがコネクタ本体１０に完全に挿入されていないときには、押圧部材３０をコネクタ本体１０の後方まで挿入することができず、フレキシブルケーブルＡが未完全挿入状態で接続されることがない。従って、フレキシブルケーブルＡがコネクタ本体１０から抜け出したり、フレキシブルケーブルＡと各端子２０の弾性片部２２との間に位置ずれが生じて接触不良になるのを確実に防止することができる。【選択図】図５
2006252975.tif 000002
【特許請求の範囲】
【請求項１】
接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、コネクタ本体の端子配列方向両端側に係止部を突設し、接続対象物をコネクタ本体に挿入すると、接続対象物の両側端部に設けた切欠部が係止部に嵌合して反挿入方向に係止するようにしたコネクタにおいて、
前記係止部を非弾性部材によって形成するとともに、
前記コネクタ本体に挿入した接続対象物の切欠部が係止部に嵌合している状態で、押圧部材のコネクタ本体への挿入が許容されるように構成した
ことを特徴とするコネクタ。
【請求項２】
前記係止部をコネクタ本体と一体に形成した
ことを特徴とする請求項１記載のコネクタ。
【請求項３】
前記係止部の前端部をコネクタ本体の後方に向かって上り傾斜をなすように形成した
ことを特徴とする請求項１または２記載のコネクタ。
【請求項４】
前記係止部を、各端子が接続対象物との接触方向に突出した高さよりも高くなるように形成した
ことを特徴とする請求項１、２または３記載のコネクタ。
【発明の詳細な説明】
【技術分野】
【０００１】
本発明は、例えばフレキシブルプリント基板（ＦＰＣ）やフレキシブルフラットケーブル（ＦＦＣ）等を接続するためのコネクタに関するものである。
【背景技術】
【０００２】
従来、この種のコネクタとして、接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、押圧部材によって接続対象物を保持することにより、接続対象物がコネクタ本体から抜けたり、位置ずれによって接触不良が生じることを防止するようにしたものが知られている。
【０００３】
しかしながら、このコネクタでは、図８及び図９に示すように、接続対象物Ｂがコネクタ本体１に完全に挿入されていないときでも、押圧部材３がコネクタ本体１に挿入可能となっているので、このような接続対象物Ｂの未完全挿入状態では、コネクタ本体１に挿入された押圧部材３と接続対象物Ｂとの接触面積が小さくなる。これにより、押圧部材３の接続対象物Ｂに対する押圧力が不十分となり、接続対象物Ｂがコネクタ本体１から抜け出したり、接続対象物Ｂと各端子２の弾性片部２ａとの間に位置ずれが生じて接触不良となる問題点があった。
【０００４】
そこで、コネクタ本体内の端子配列方向両端側に弾性支持片を設けることにより、接続対象物をコネクタ本体に挿入したときに、接続対象物の両側端部に設けた切欠部が弾性支持片に嵌合して、弾性支持片との係止により接続対象物の反挿入方向への移動を規制するようにしたものが知られている（例えば特許文献１参照）。
【特許文献１】特開２００３−１００３７０号公報
【発明の開示】
【発明が解決しようとする課題】
【０００５】
しかしながら、接続対象物がコネクタ本体に完全に挿入されていない状態においても、押圧部材をコネクタ本体に挿入すると、押圧部材によって弾性支持片が接続対象物とともに端子側に弾性変形するので、押圧部材がコネクタ本体に挿入可能となる。従って、前述と同様に押圧部材の接続対象物に対する押圧力が不十分な状態で接続され、接続対象物がコネクタ本体から抜け出したり、位置ずれが生じて接触不良になるのを防止することができないという問題点があった。
【０００６】
本発明は前記問題点に鑑みてなされたものであり、その目的とするところは、接続対象物がコネクタ本体に完全に挿入されていないときに、押圧部材がコネクタ本体に挿入されることを防止するコネクタを提供することにある。
【課題を解決するための手段】
【０００７】
本発明は、前記目的を達成するために、接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、コネクタ本体の端子配列方向両端側に係止部を突設し、接続対象物をコネクタ本体に挿入すると、接続対象物の両側端部に設けた切欠部が係止部に嵌合して反挿入方向に係止するようにしたコネクタにおいて、前記係止部を非弾性部材によって形成するとともに、前記コネクタ本体に挿入した接続対象物の切欠部が係止部に嵌合している状態で、押圧部材のコネクタ本体への挿入が許容されるように構成している。
【０００８】
これにより、接続対象物がコネクタ本体に完全に挿入されたとき、即ち接続対象物の切欠部が係止部に嵌合したときは、押圧部材がコネクタ本体に挿入可能となる。また、接続対象物がコネクタ本体に完全に挿入されていないとき、即ち接続対象物の切欠部が係止部に嵌合せず、接続対象物が係止部に乗り上げた状態では、係止部が非弾性部材によって形成されているため、押圧部材を挿入しようとしても係止部が端子側に変形せず、押圧部材をコネクタ本体に挿入することができない。
【発明の効果】
【０００９】
本発明によれば、接続対象物がコネクタ本体に完全に挿入されていないときには押圧部材をコネクタ本体に挿入することができないので、接続対象物が未完全挿入状態で接続されることがなく、接続対象物がコネクタ本体から抜け出したり、接続対象物と各端子との間に位置ずれが生じて接触不良になるのを確実に防止することができる。
【発明を実施するための最良の形態】
【００１０】
図１乃至図７は本発明の一実施形態を示すもので、図１はコネクタの斜視図、図２はコネクタの正面図、図３はコネクタの平面図、図４はフレキシブルケーブルの平面図、図５乃至図７はコネクタの動作を示す側面断面図である。
【００１１】
このコネクタは、接続対象物としてのフレキシブルケーブルＡの一端を挿入可能なコネクタ本体１０と、コネクタ本体１０に挿入されたフレキシブルケーブルＡの接点と電気的に接触する複数の端子２０と、フレキシブルケーブルＡを各端子２０側に押圧する押圧部材３０とから構成されている。
【００１２】
フレキシブルケーブルＡは、いわゆるフレキシブルフラットケーブル（ＦＦＣ）と称されるものであり、その先端側の上方及び下方の両面には複数の導電部Ａ１が互いに幅方向に間隔をおいて設けられている。また、フレキシブルケーブルＡの両側端部には、左右一対の切欠部Ａ２が設けられている。なお、接続対象物としては、フレキシブルプリント回路（ＦＰＣ）等であってもよい。
【００１３】
コネクタ本体１０は非弾性部材（例えば合成樹脂）の成形品からなり、前面側を開口した箱状に形成されている。即ち、コネクタ本体１０は、上面部１１、背面部１２、側面部１３及び底面部１４からなり、その前面開口部からフレキシブルケーブルＡが挿入されるようになっている。背面部１２には、複数の端子孔１２ａが互いに幅方向に等間隔で設けられ、各端子孔１２ａには各端子２０がそれぞれ保持されるようになっている。各側面部１３には、それぞれ前後方向に延びる長孔１３ａが設けられ、各長孔１３ａに押圧部材３０を係合するとともに、各長孔１３ａの前端部１３ｂに押圧部材３０を係止するようになっている。各端子孔１２ａの配列方向両端側にはコネクタ本体１０と一体に形成された左右一対の係止部１５が上方に向かって突設されており、各係止部１５にフレキシブルケーブルＡの各切欠部Ａ２を係止するようになっている。また、各係止部１５は、各端子２０がフレキシブルケーブルＡとの接触方向、即ち上方に突出した高さよりも高く形成されており、その前端部は、コネクタ本体１０の後方に向かって上り傾斜をなすように形成されている。
【００１４】
各端子２０は導電性の金属板からなり、コネクタ本体１０の各端子孔１２ａにそれぞれ保持されている。各端子２０は、互いに上下方向に間隔をおいて前方に二股状に延びる固定片部２１及び弾性片部２２を有し、その後端には基板（図示せず）に接続される基板接続部２３が設けられている。
【００１５】
押圧部材３０は合成樹脂の成形品からなり、コネクタ本体１０の外部に配置される操作部３１と、コネクタ本体１０内に配置される押圧片３２と、コネクタ本体１０内に挿入される左右一対のアーム部３３とから構成されている。操作部３１は押圧部材３０の幅方向に延び、その両端には把持部３１ａが突設されている。また、操作部３１の下面中央にはフレキシブルケーブルＡを挿通可能な凹部３１ｂが設けられている。押圧片３２は操作部３１の背面中央から後方に延び、各端子２０の固定片部２１の下方に位置するようになっている。また、押圧片３２の厚さ寸法は、各係止部１５と固定片部２１との間隔を最大として、先端側に向かって徐々に小さくなるように形成されている。各アーム部３３は操作部３１の背面両端側から後方に向かって延び、それぞれコネクタ本体１０の各長孔１３ａ内に前後方向に移動自在に挿入されている。また、各アーム部３３の先端には長孔１３ａの前端部１３ｂに係止する係止片３３ａが幅方向に突出するように設けられ、係止片３３ａの前面、即ち各長孔１３ａの前端部１３ｂに係止する面は、後方に向かって下り傾斜をなす傾斜面３３ｂによって形成されている。また、各アーム部３３の前後方向中央部には幅方向に突出する山形の突起部３３ｃが設けられ、アーム部３３が前後方向に移動する際、アーム部３３の弾性変形により突起部３３ｃが長孔１３ａの前端部１３ｂを強制的に乗り越えるようになっている。
【００１６】
以上のように構成されたコネクタにおいては、各端子２０の基板接続部２３を基板に半田付けすることにより、各端子２０が基板に接続される。また、フレキシブルケーブルＡをコネクタに接続する場合は、図５に示すように押圧部材３０を前方に引き出すことにより、フレキシブルケーブルＡがコネクタ本体１０内に挿入可能となる。即ち、押圧部材３０の押圧片３２の厚さ寸法は、各係止部１５と固定片部２１との間隔を最大として、先端側に向かって徐々に小さくなるように形成されているので、押圧部材３０が前方に移動すると、各係止部１５と押圧片３２との間隔が広がり、フレキシブルケーブルＡが各係止部１５と押圧片３２との間に挿入可能となる。また、押圧部材３０を前方に引き出すと、各アーム部３３の突起部３３ｃが長孔１３ａの前端部１３ｂを乗り越えるとともに、長孔１３ａの前端部１３ｂにアーム部３３の係止片３３ａが係止することにより、押圧部材３０が引き出し位置に保持される。その際、係止片３３ａの傾斜面３３ｂが長孔１３ａの前端部１３ｂに当接し、突起部３３ｃによる押圧部材３０の前方位置への保持力によって傾斜面３３ｂが長孔１３ａの前端部１３ｂに沿って垂直になろうとする。これにより、図５に示すように押圧部材３０が上方に回動してその前端側が上昇し、フレキシブルケーブルＡの挿入が容易になる。
【００１７】
次に、フレキシブルケーブルＡをコネクタ本体１０に挿入すると、フレキシブルケーブルＡはフレキシブルケーブルＡの先端の幅方向両端側が各係止部１５の前端部に当接した後、各係止部１５の前端側の傾斜面に案内されながら各係止部１５の上面に乗り上げる。そして、図６に示すようにフレキシブルケーブルＡをさらにコネクタ本体１０の後方に向かって挿入すると、フレキシブルケーブルＡの各切欠部Ａ２とコネクタ本体１０の各係止部１５とが嵌合してフレキシブルケーブルＡが下方に移動することにより、フレキシブルケーブルＡの各導電部Ａ１と各端子２０の弾性片部２２とが接触するとともに、フレキシブルケーブルＡの各切欠部Ａ２が各係止部１５に係止する。これにより、フレキシブルケーブルＡがコネクタ本体１０に完全に挿入される。このとき、各係止部１５の上面と固定片部２１との間にはフレキシブルケーブルＡが存在していないので、押圧部材３０の押圧片３２をコネクタ本体１０の後方に向けて挿入すると、フレキシブルケーブルＡを介して押圧片３２と弾性片部２２との間隔が徐々に狭くなり、押圧片３２によってフレキシブルケーブルＡが弾性片部２２側に押圧され、図７に示すように押圧部材３０がコネクタ本体１０に挿入されるとともに、フレキシブルケーブルＡと各端子２０の弾性片部２２とが互いに圧接して電気的に接続される。
【００１８】
また、フレキシブルケーブルＡが完全に挿入されていない状態、即ちフレキシブルケーブルＡの各切欠部Ａ２と各係止部１５とが嵌合する位置までフレキシブルケーブルＡが挿入されず、フレキシブルケーブルＡが各係止部１５に乗り上げた状態において、押圧部材３０を下方に回動しながらコネクタ本体１０の後方に向けて挿入しようとすると、押圧片３２の厚さ寸法が各係止部１５の上面に乗り上げたフレキシブルケーブルＡと各端子２０の固定片部２１との間隔よりも大きいので、押圧部材３０をコネクタ本体１０の後方まで挿入することができない。その際、フレキシブルケーブルＡが押圧部材３０によって下方に押圧されても、非弾性部材からなる各係止部１５が変形しないので、押圧部材３０を挿入するための間隔を形成することができない。
【００１９】
このように、本実施形態のコネクタによれば、各係止部１５を非弾性部材によって形成するとともに、押圧部材３０の押圧片３２の厚さ寸法を、各係止部１５と固定片部２１との間隔を最大として、先端側に向かって徐々に小さくなるように形成したので、フレキシブルケーブルＡがコネクタ本体１０に完全に挿入されたとき、即ちフレキシブルケーブルＡの各切欠部Ａ２が各係止部１５に嵌合したときには、押圧部材３０をコネクタ本体１０に挿入することができる。また、フレキシブルケーブルＡがコネクタ本体１０に完全に挿入されていないとき、即ちフレキシブルケーブルＡの各切欠部Ａ２が各係止部１５に嵌合せず、フレキシブルケーブルＡが各係止部１５に乗り上げた状態では、押圧部材３０をコネクタ本体１０の後方まで挿入することができず、フレキシブルケーブルＡが未完全挿入状態で接続されることがない。従って、フレキシブルケーブルＡがコネクタ本体１０から抜け出したり、フレキシブルケーブルＡと各端子２０の弾性片部２２との間に位置ずれが生じて接触不良になるのを確実に防止することができる。
【００２０】
さらに、各係止部１５をコネクタ本体１０と一体に形成したので、フレキシブルケーブルＡと接触することによって各係止部１５の位置ずれが生じてフレキシブルケーブルＡの切欠部Ａ２と各係止部１５とが嵌合しなくなることを防止でき、フレキシブルケーブルＡを完全に挿入したときは、フレキシブルケーブルＡの各切欠部Ａ２と各係止部１５とを確実に嵌合させて押圧部材３０によってフレキシブルケーブルＡを押圧することができる。
【００２１】
さらに、各係止部１５の前端部をコネクタ本体１０の後方に向かって上り傾斜をなすように形成したので、フレキシブルケーブルＡの先端の幅方向両端側が各係止部１５の前端部に当接した後、各係止部１５の前端部の傾斜面に案内されながら各係止部１５の上面に乗り上げることにより、フレキシブルケーブルＡを容易にコネクタ本体１０の後方に挿入することができる。従って、フレキシブルケーブルＡをコネクタ本体１０に挿入するときに、フレキシブルケーブルＡの先端が各係止部１５の前端部に当接することによって挿入が妨げられることがないという利点がある。
【００２２】
さらに、各係止部１５を、各端子２０がフレキシブルケーブルＡとの接触方向、即ち上方に突出した高さよりも高くなるように形成したので、フレキシブルケーブルＡをコネクタ本体１０に挿入するときに、フレキシブルケーブルＡの各導電部Ａ１が各端子２０に接触することがない。従って、各端子２０との接触によってフレキシブルケーブルＡの各導電部Ａ１に条線等が付く等の損傷を確実に防止することができる。
【００２３】
なお、前記実施形態では、各係止部１５をコネクタ本体１０に一体に形成したものを示したが、コネクタ本体１０と異なる非弾性部材からなる係止部をコネクタ本体１０に設けてもよい。
【図面の簡単な説明】
【００２４】
【図１】本発明の一実施形態によるコネクタの斜視図
【図２】コネクタの正面図
【図３】コネクタの平面図
【図４】フレキシブルケーブルの平面図
【図５】コネクタの動作を示す側面断面図
【図６】コネクタの動作を示す側面断面図
【図７】コネクタの動作を示す側面断面図
【図８】従来のコネクタの動作を示す側面断面図
【図９】従来のコネクタの動作を示す側面断面図
【符号の説明】
【００２５】
１０…コネクタ本体、１５…係止部、２０…端子、３０…押圧部材、Ａ…フレキシブルケーブル、Ａ２…切欠部。
【図１】
2006252975.tif 000003
【図２】
2006252975.tif 000004
【図３】
2006252975.tif 000005
【図４】
2006252975.tif 000006
【図５】
2006252975.tif 000007
【図６】
2006252975.tif 000008
【図７】
2006252975.tif 000009
【図８】
2006252975.tif 000010
【図９】
2006252975.tif 000011